(57)【要約】【課題】冷蔵室と冷蔵温室との間が仕切壁に仕切られており、該仕切壁に設けられたモード選択レバーの切換え操作だけで、冷温蔵室を冷蔵モードと温蔵モードとに切換えることができるショーケースにおいて、製造コストの大幅な上昇を招くことなく、冷蔵モードのみならず、温蔵モードにおいても冷温蔵室内を冷却することができるようにする。【解決手段】仕切壁２に、冷蔵室３内の冷気を冷温蔵室４内に流入させる冷気用の開口２２と、冷気用の開口２２を開閉するダンパ２４と、モード選択レバー３６の操作を受けて該ダンパ２４を開閉操作する開閉機構２５と、冷温蔵室４に向けて暖気を送るための加熱構造２６と、冷蔵室３内の冷気を冷温蔵室４内に強制的に送給するための強制送給構造２７とを設ける。【選択図】図１
2017189463.tif 000002
【特許請求の範囲】
【請求項１】
冷蔵室（３）と、冷温蔵室（４）と、両室（３・４）を仕切る仕切壁（２）とを備え、該仕切壁（２）に設けられたモード選択レバー（３６）を切換え操作することで、該冷温蔵室（４）を冷蔵モードと温蔵モードとの間で切換えることができるショーケースにおいて、
前記仕切壁（２）に、前記冷蔵室（３）内の冷気を前記冷温蔵室（４）内に流入させる冷気用の開口（２２）と、該冷気用の開口（２２）を開閉するダンパ（２４）と、前記モード選択レバー（３６）の操作を受けて該ダンパ（２４）を開閉操作する開閉機構（２５）と、前記冷温蔵室（４）に向けて暖気を送るための加熱構造（２６）と、前記冷蔵室（３）内の冷気を前記冷温蔵室（４）内に強制的に送給するための強制送給構造（２７）とが設けられていることを特徴とするショーケース。
【請求項２】
前記加熱構造（２６）が、前記冷温蔵室（４）側に開口して該冷温蔵室（４）の庫内空気を取り入れる空気取入口（４０）と、該冷温蔵室（４）側に開口して該冷温蔵室（４）に向けて暖気を送り出す暖気送出口（４１）と、該空気取入口（４０）から取り入れられた空気を暖気送出口（４１）に導く加熱用のバイパス路（４２）とを有し、該加熱用のバイパス路（４２）には、前記空気取入口（４０）を介して該加熱用のバイパス路（４２）内に庫内空気を取り込むための第１の送風機（４３）と、前記空気取入口（４０）から取り入れられた庫内空気を加熱して暖気とするヒータ（４４）とが設けられており、
前記強制送給構造（２７）が、前記冷蔵室（３）側に開口して冷気を取り込む冷気取入口（５０）と、冷温蔵室（４）側に開口して冷気を送り出す冷気送出口（５１）と、該冷気取入口（５０）から取り込まれた冷気を該冷気送出口（５１）に導く冷気用のバイパス路（５２）とを有し、該冷気用のバイパス路（５２）には、前記冷気取入口（５０）から冷気を取り込むとともに、冷気を前記冷気送出口（５１）から送出するための第２の送風機（５３）が設けられている、請求項１記載のショーケース。
【請求項３】
前記温蔵モードが選択されると、前記ヒータ（４４）のオンオフ制御、および前記強制送給構造（２７）を構成する前記第２の送風機（５３）のオンオフ制御とは無関係に、前記第１の送風機（４３）が常態的にオン制御され、該送風機（４３）による送風により前記冷温蔵室（４）の庫内空気が循環されるように構成されている、請求項２記載のショーケース。
【請求項４】
前記仕切壁（２）は、前記ダンパ（２４）、前記開閉機構（２５）、前記モード選択レバー（３６）の操作を受けてオンオフ操作されるモード切換スイッチ（３２）が配置される下室（３０）と、前記ヒータ（４４）が配置される上室（３１）とに隔壁（２９）によって区分されており、
前記加熱用のバイパス路（４２）が、前記開閉機構（２５）を避けて、前記上下室（３１・３０）を跨ぐように構成されており、
第１の送風機（４３）が、そのファン軸が斜め上方に向く傾斜姿勢で、前記加熱用のバイパス路（４２）の中途部に設置されている、請求項２又は３記載のショーケース。
【請求項５】
前記冷蔵室（３）の側面と前記冷温蔵室（４）の側面には、両室（３・４）に向けて冷気を送り込むためのダクト（１５・１８）が設けられており、
前記仕切壁（２）の上室（３１）の側面には、前記ダクト（１８）に臨むように前記暖気送出口（４１）と前記冷気送出口（５１）とが設けられている、請求項４記載のショーケース。
【発明の詳細な説明】
【技術分野】
【０００１】
本発明は、冷蔵室と、冷蔵モードと温蔵モードとの間で切換え運転可能な冷温蔵室の二つの庫室を備えるショーケースに関する。本発明は、特に、駅ホームに設けられた小型の有人売店に設置される飲食料品用のショーケースとして好適である。
【背景技術】
【０００２】
本発明に係るショーケースは、冷蔵室と冷温蔵室とを仕切る仕切壁内に、冷温蔵室を冷蔵モードと温蔵モードとの間で切換えるための操作機構を備えるが、同様の構成は特許文献１に開示されており公知である。特許文献１に記載のショーケースでは、仕切壁の下方に、冷温蔵室を冷蔵モードと温蔵モードとの間で切換えるための操作部としてのレバーが前後方向に移動操作可能に構成されており、レバーを後方に移動操作すると、ダンパが開操作されて冷蔵室側の冷風が冷温蔵室側に流入される冷蔵モードとなり、レバーを前方に移動操作すると、ダンパが閉操作されて冷蔵室側の冷風の冷温蔵室への流入が阻止されるとともに、冷温蔵室に設置されたヒータがオンとなる温蔵モードとなるように構成されている。
【０００３】
仕切壁の内部には、レバー操作に応じてダンパを開閉操作するダンパ駆動機構と、冷温蔵室のヒータのオンオフ動作を切換える運転モード切換スイッチとが設けられている。ダンパ駆動機構は、レバーとダンパとを連結する計四本のダンパアームと、スイッチバーとからなり、レバーの前後方向の移動操作に応じて、ダンパアームを介してダンパが開閉操作されるとともに、スイッチレバーにより運転モード切換スイッチがオンオフ操作されるようになっている。
【先行技術文献】
【特許文献】
【０００４】
【特許文献１】特開２００２−１０２０２４号公報（図１、図６、図７）
【発明の概要】
【発明が解決しようとする課題】
【０００５】
特許文献１に記載のショーケースによれば、ダンパの開閉操作と、ヒータのオンオフ操作とを伴う冷温蔵室の運転モードの切換え操作を、レバーの移動操作だけで行うことができるので、冷温蔵室の運転モードの切換えを簡易かつ確実に行うことができる。しかし、特許文献１に記載のショーケースでは、温蔵モードにおいて冷温蔵室内を冷却することができず、その点に改良の余地がある。
【０００６】
つまり、この種のショーケースにおける冷温蔵室の温蔵モードにおける庫内の温度制御としては、単純にヒータのオンオフ動作を伴う加熱制御に限られず、冷温蔵室に対して冷却制御が必要となる場合もある（例えば、冬季においてエアコンの暖気が冷温蔵室内に侵入することで、不用意に庫内温度が上昇したような場合である）。しかしながら、特許文献１に記載のショーケースでは、温蔵モードにおいて冷温蔵室に対する冷却制御を行うことが想定されておらず、その点に改良の余地があった。
【０００７】
尤も、上記のような温蔵モードにおける冷温蔵室の冷却制御は、冷蔵室と冷温蔵室のそれぞれに個別の冷却器を設置するとともに、検出された冷温蔵室の庫内温度を設定温度と比較しながら冷却器をオンオフ制御することで完全に解消できる。しかし、上記のような構成を採った場合には、各室内に冷却器を設置する分だけ、ショーケースの製造コストが大幅に上昇することが避けられず、さらにコンプレッサーから冷却器に至る冷媒の送給経路が複雑化する点でもショーケースの製造コストが大幅に上昇することが避けられない。
【０００８】
本発明の目的は、冷蔵室と冷蔵温室との間が仕切壁に仕切られており、該仕切壁に設けられたモード選択レバーの切換え操作だけで、冷温蔵室を冷蔵モードと温蔵モードとに切換えることができるショーケースにおいて、製造コストの大幅な上昇を招くことなく、冷蔵モードのみならず、温蔵モードにおいても冷温蔵室内を冷却することができるようにすることにある。
【課題を解決するための手段】
【０００９】
本発明は、冷蔵室３と、冷温蔵室４と、両室３・４を仕切る仕切壁２とを備え、該仕切壁２に設けられたモード選択レバー３６を切換え操作することで、該冷温蔵室４を冷蔵モードと温蔵モードとの間で切換えることができるショーケースを対象とする。仕切壁２に、冷蔵室３内の冷気を冷温蔵室４内に流入させる冷気用の開口２２と、冷気用の開口２２を開閉するダンパ２４と、モード選択レバー３６の操作を受けて該ダンパ２４を開閉操作する開閉機構２５と、冷温蔵室４に向けて暖気を送るための加熱構造２６と、冷蔵室３内の冷気を冷温蔵室４内に強制的に送給するための強制送給構造２７とを設けることを特徴とする。
【００１０】
加熱構造２６は、冷温蔵室４側に開口して該冷温蔵室４の庫内空気を取り入れる空気取入口４０と、該冷温蔵室４側に開口して該冷温蔵室４に向けて暖気を送り出す暖気送出口４１と、該空気取入口４０から取り入れられた空気を暖気送出口４１に導く加熱用のバイパス路４２とを有する。加熱用のバイパス路４２に、空気取入口４０を介して該バイパス路４２内に庫内空気を取り込むための第１の送風機４３と、空気取入口４０から取り入れられた庫内空気を加熱して暖気とするヒータ４４とを設ける。強制送給構造２７は、冷蔵室３側に開口して冷気を取り込む冷気取入口５０と、冷温蔵室４側に開口して冷気を送り出す冷気送出口５１と、該冷気取入口５０から取り込まれた冷気を該冷気送出口５１に導く冷気用のバイパス路５２とを有する。冷気用のバイパス路５２に、冷気取入口５０から冷気を取り込むとともに、冷気を冷気送出口５１から送出するための第２の送風機５３を設ける。
【００１１】
温蔵モードが選択されると、ヒータ４４のオンオフ制御、および強制送給構造２７を構成する第２の送風機５３のオンオフ制御とは無関係に、第１の送風機４３を常態的にオン制御し、該送風機４３による送風により冷温蔵室４の庫内空気が循環されるように構成する。
【００１２】
仕切壁２は、ダンパ２４、開閉機構２５、モード選択レバー３６の操作を受けてオンオフ操作されるモード切換スイッチ３２が配置される下室３０と、ヒータ４４が配置される上室３１とに隔壁２９によって区分される。加熱用のバイパス路４２は、開閉機構２５を避けて、上下室３１・３０を跨ぐように構成する。第１の送風機４３を、そのファン軸が斜め上方に向く傾斜姿勢で、加熱用のバイパス路４２の中途部に設置する。
【００１３】
冷蔵室３の側面と冷温蔵室４の側面に、両室３・４に向けて冷気を送り込むためのダクト１５・１８を設ける。仕切壁２の上室３１の側面に、ダクト１８に臨むように暖気送出口４１と前記冷気送出口５１とを設ける。
【発明の効果】
【００１４】
本発明に係るショーケース１においては、冷蔵室３と冷温蔵室４とを仕切る仕切壁２に、冷温蔵室４に向けて暖気を送るための加熱構造２６と、冷蔵室３内の冷気を冷温蔵室４に向けて強制的に送給するための強制送給構造２７とを設けて、温蔵モードが選択されると、加熱構造２６により冷温蔵室４に暖気が送給され、或いは強制送給構造２７により冷温蔵室４に冷気が送給されるようにした。以上のような構成からなるショーケース１によれば、温蔵モードが選択された状態で冷温蔵室４の庫内温度が所定の設定温度よりも低い場合には、加熱構造２６により暖気を冷温蔵室４内に送給することで冷温蔵室４内を加熱制御できることは勿論のこと、冷温蔵室４内の庫内温度が所定の設定温度よりも高い場合には、強制送給構造２７により冷蔵室３内の冷気を送給することで冷温蔵室４内を冷却制御することができる。
【００１５】
以上のように本発明では、温蔵モードにおける冷却制御に、冷蔵室３用内の冷気を利用して冷温蔵室４内を冷却する構造を採ったため、冷蔵室３と冷温蔵室４のそれぞれに冷却器を設置する構成に比べて、冷温蔵室４の冷却構造が格段に簡素に済み、製造コストを抑えて、温蔵モードにおける冷却能力を備えたショーケースをより安価に提供できる。また、このような構成からなるショーケース１は、特に冷温蔵室４の室内温度が１５〜２０℃の範囲に設定される弁当用のショーケース１として好適であり、例えば冬季においてエアコンで暖められた外部空気が冷温蔵室４内に侵入して、冷温蔵室４内の温度が上昇した場合であっても、強制送給構造２７により、冷温蔵室４内に冷気を送り込んで冷却し、庫内および収納物を最適温度に保つことができる。
【００１６】
また、本発明によれば、仕切壁２に、モード選択レバー３６、ダンパ２４、開閉機構２５のみならず、加熱構造２６と強制送給構造２７とを設けて、モードの切換構造の全てを仕切壁２に集約配置したので、冷蔵室３、或いは冷温蔵室４のそれぞれに切換構造を設ける場合に比べて、冷蔵室３および冷温蔵室４の収容スペースのロスを小さくして、より大きな収容スペースを確保できる。
【００１７】
具体的には、加熱構造２６として、仕切壁２の冷温蔵室４側に空気取入口４０と暖気送出口４１とを設け、これら空気取入口４０と暖気送出口４１との間に設けられた加熱用のバイパス路４２を設け、該バイパス路４２に第１の送風機４３とヒータ４４とを設ける。強制供給構造２７として、冷蔵室３側に冷気取込口５０を設け、冷温蔵室４側に開口して冷気を送り出す冷気送出口５１と、これら冷気取込口５０と冷気送出口５１との間に冷気用のバイパス路５２を設け、該バイパス路５２に第２の送風機５３を設ける。以上のような加熱構造２６と強制供給構造２７とを採ることで、仕切壁２内に両構造２６・２７を集約配置することができるので、加熱構造２６、或いは強制対流構造２７を冷蔵室３内、或いは冷温蔵室４内に設ける構成に比べて、冷蔵室３および冷温蔵室４の収容スペースのロスを小さくして、これら室３・４内に、より大きな収容スペースを確保できる。
【００１８】
温蔵モードが選択されると、加熱構造２６を構成する第１の送風機４３が常態的にオン制御され、該送風機４３による送風により冷温蔵室４の庫内空気が循環されるような構成を採ることができる。これによれば、温蔵モード時において、冷温蔵室４内を強制対流方式で冷却或いは加熱することができるので、より効率的に冷温蔵室４内を冷却等することができる。
【００１９】
仕切壁２内を下室３０と上室３１とに区分し、加熱用のバイパス路４２を上下室３１・３０を跨ぐように配置し、第１の送風機４３をファン軸が斜め上方に向く傾斜姿勢で加熱用のバイパス路４２の中途部に設置する構成を採ることができる。これによれば、第１の送風機４３を、そのファン軸が鉛直方向に向く水平姿勢とする場合に比べて、該第１の送風機４３の上下寸法を小さくすることができるので、加熱用のバイパス路４２の上下方向の厚み寸法を小さくできる。このことは、仕切壁２の上下方向の厚み寸法を小さくすることができることを意味し、結果として、冷蔵室３および冷温蔵室４の収容スペースのロスを小さくして、収容スペースの大容量化に貢献できる。
【００２０】
冷蔵室３の側面と冷温蔵室４の側面に、両室３・４に向けて冷気を送り込むためのダクト１５・１８を設けて、仕切壁２の上室３１の側面にダクト１８に臨むように暖気送出口４１と冷気送出口５１とを設ける構成を採ることができる。これによれば、冷気用のダクト１８を使って暖気を冷温蔵室４内に送り込むことができるので、別途に暖気用のダクトを設ける場合に比べて、加熱構造２６を簡素化して、ショーケース１の製造コストを削減できる。また、仕切壁２の上面には暖気送出口４１や冷気送出口５１等の開口部が存在しないため、開口部を収納物で塞ぐことに起因する動作不良の問題が生じ難く、ショーケース１の信頼性向上にも貢献できる。仕切壁２上に収納物を載置することが可能となるため、収納スペースの大容量化にも貢献できる。
【図面の簡単な説明】
【００２１】
【図１】本発明に係るショーケースを構成する仕切壁の横断平面図（図２のＡ−Ａ線断面図）である。
【図２】本発明に係るショーケースの概略を示す縦断正面図である。
【図３】仕切壁の縦断正面図（図１のＢ−Ｂ線断面図）であり、加熱構造を示している。
【図４】仕切壁の縦断側面図である。
【図５】仕切壁の縦断正面図（図１のＣ−Ｃ線断面図）であり、強制送給構造を示している。
【図６】ショーケースの縦断側面図である。
【図７】開閉機構を説明するための仕切壁の横断平面図であり、（ａ）は冷蔵モードであり、ダンパが開姿勢にあるときの状態を示しており、（ｂ）は温蔵モードであり、ダンパが閉姿勢にある状態を示している。
【図８】ショーケースの動作を説明するための図であり、（ａ）は冷蔵モードであり、ダンパが開姿勢にあるときの状態を示しており、（ｂ）は温蔵モードであり、ダンパが閉姿勢にあるときの状態を示している。
【図９】温蔵モードにおけるショーケースの動作を説明するためのフローチャートである。
【発明を実施するための形態】
【００２２】
図１ないし図９に、本発明を駅ホームの有人販売所に設置されるショーケースに適用した実施例を示す。本実施例における前後、左右、上下とは、図１、図２、および図６に示す交差矢印と、各矢印の近傍に表記した前後、左右、上下の表示に従う。図２に示すように、ショーケース１は、縦長の断熱箱体を基体として、仕切壁２によって区画された下方側の冷蔵室３と、上方側の冷温蔵室４の二つの収納室を備える。図１および図６に示すように、冷蔵室３と冷温蔵室４のそれぞれの前後には開口部が設けられており、これら開口部には引き違い開閉される引戸式のガラス扉５・５が装着されている。このように前後に開口部を設けることで、各室３・４の前方から商品を販売するとともに、各室３・４の後方から商品を補充することができる。各室３・４には、高さ位置を変更可能な商品陳列棚６が設けられている。
【００２３】
図２に示すように、冷蔵室３の下方には機械室７が配されており、機械室７内には、熱交換して冷気を生成する冷却器９と、冷蔵室３内の空気を吸い込んで冷却器９を介して冷蔵室３内に冷気を供給するための送風機１０とが設けられている。符号１１は、圧縮機１２と凝縮器１３と凝縮器１３用の送風機１４とを備え、冷媒を機械室７内の冷却器９に送る室外機を示す。
【００２４】
図２および図８に示すように、冷蔵室３の左側面には、冷気用の下ダクト１５が設けられており、送風機１０により冷蔵室３の底壁に開設された吸込口１６から吸い込まれた冷蔵室３内の庫内空気は、冷却器９により冷却されたのち、下ダクト１５に設けられた冷気吹出口１７から冷蔵室３内に吹出される。また、後述する冷却モードが選択された場合には、冷温蔵室４の左側面に設けられて、下ダクト１５に連通する上ダクト１８を介して冷温蔵室４にも冷気が送給される。符号１９は、上ダクト１８に設けられた吹出口を示しており、上ダクト１８に送給された冷気、および後述する加熱構造２６により生成された暖気は吹出口１９から冷温蔵室４内に吹出される。
【００２５】
図３、および図４に示すように仕切壁２は、冷蔵室３に臨む下方側の下板２０と、冷温蔵室４に臨む上方側の上板２１と備える中空状に形成されており、その左右両端には冷蔵室３内の冷気を冷温蔵室４内に流入させるための左右一対の開口（冷気用の開口）２２（２２ａ・２２ｂ）が設けられている。仕切壁２の内部には、各開口２２ａ・２２ｂを開閉する左右一対のダンパ２４（２４ａ・２４ｂ）と、モード選択レバー３６の操作を受けてこれらダンパ２４ａ・２４ｂを開閉操作するダンパ開閉機構（開閉機構）２５と、冷温蔵室４に向けて暖気を送るための加熱構造２６と、冷蔵室３内の冷気を冷温蔵室４内に強制的に送給するための強制送給構造２７とが設けられている。
【００２６】
図３に示すように仕切壁２の内部は、下板２０と上板２１の間に配された隔壁２９により、下室３０と上室３１の二室に区画されている。仕切壁２の左右端には、前後方向に長く開口２２ａ・２２ｂが開設されており、下室３０の内部には、これら開口２２ａ・２２ｂをそれぞれ開閉する前後方向に長いダンパ２４ａ・２４ｂと、これらダンパ２４ａ・２４ｂを同時に開閉操作するダンパ開閉機構２５と、冷温蔵室４の運転モードを冷蔵モードと温蔵モードとの間で変更するためのモード切換スイッチ３２とが配置されている。モード切換スイッチ３２は磁気型近接センサで構成されており、マグネットの有無によりスイッチの状態が切換わり、マグネットを近接させると出力がオンとなる。
【００２７】
図３に示すように、左側のダンパ２４ａは、ダンパ開閉機構２５に連結された連結片６０と、閉姿勢（図７（ｂ）、図８（ｂ））において開口２２ａを閉じる四角柱状のダンパ本体６１と、ダンパ本体６１から上方に向かって伸びて、開姿勢（図７（ａ）、図８（ａ））において後述の暖気送出口４１と冷気送出口５１とを閉じる上片６２と、開姿勢において下ダクト１５の最上端に位置する冷気吹出口１７（１７ａ）を閉じる下片６３とを備える。右側のダンパ２４ｂは、上片６２の上下方向の長さ寸法が、左側のダンパ２４ａのそれよりも短い点を除いて、概ね左側のダンパ２４ａの形状と共通する。
【００２８】
ダンパ開閉機構２５は、図１、図４、および図７（ａ）（ｂ）に示すように、仕切壁２内の下室３０の中央に前後方向に移動可能に構成された移動体３３と、移動体３３とダンパ２４ａ・２４ｂとをそれぞれ連結する計４本のダンパアーム３４と、移動体３３から左方向に片持ち状に伸びて、モード切換スイッチ３２をオンオフ操作する先端にマグネットを備えたスイッチバー３５とからなる。移動体３３には、操作部としてのモード選択レバー３６が連結されている。モード選択レバー３６は、仕切壁２の下板２０の左右方向中央部で前後方向に長く穿設されたスリット３７から仕切壁２の外下方に突出しており、図７（ａ）に示すようにスリット３７に沿ってモード選択レバー３６を後方向に移動させて、冷温蔵室４を冷蔵モードとすると、ダンパ開閉機構２５を構成する移動体３３とダンパアーム３４とを介して両ダンパ２４ａ・２４ｂを開口２２ａ・２２ｂを開く開姿勢とすることができる。また、図７（ｂ）に示すようにモード選択レバー３６を前方向に移動させて、冷温蔵室を温蔵モードとすると、ダンパ２４ａ・２４ｂを開口２２ａ・２２ｂを閉じる閉姿勢とすることができる。
【００２９】
図４および図７において、符号３９は、前端位置、或いは後端位置に移動された移動体３３を位置保持することを目的として下室３０内の前後二ケ所に配置されたマグネットからなるキャッチャーを示す。このようにキャッチャー３９・３９が設けられていると、モード選択レバー３６の操作を受けて前端、或いは後端の位置に移動された移動体３３を吸着保持することができるので、不用意に移動体３３が移動して、冷温蔵室４のモードが変更されることを防ぐことができる。
【００３０】
図３に示すように、仕切壁２の左側の開口２２ａは、上下のダクト１５・１８の連結部に形成されており、左側のダンパ２４ａはこれら上下のダクト１５・１８の開閉要素として機能する。具体的には、モード選択レバー３６を後方向へ移動させて、左側のダンパ２４ａを開姿勢とすると（図７（ａ）参照）、開口２２ａを開くとともに上下のダクト１５・１８を連通状態とすることで、下ダクト１５から上ダクト１８に向かって冷気を流して、冷温蔵室４内に冷気を送給することができる（図８（ａ））。このとき、左側のダンパ２４ａに同調して右側のダンパ２４ｂも開姿勢となることで、仕切壁２の右端に設けられた開口２２ｂを開いて、冷温蔵室４と冷蔵室３とを連通状態として、冷温蔵室４から冷蔵室３へ空気を流入させることができる。
【００３１】
レバー３６を前方向へ移動させて、左右のダンパ２４ａ・２４ｂを閉姿勢とした場合には、開口２２ａ・２２ｂを閉じることができる。従って、ダンパ２４ａ・２４ｂを閉姿勢とした状態では、開口２２ａ・２２ｂを介して空気が流通することはない。
【００３２】
図１、および図３に示すように、加熱構造２６は、仕切壁２の前方寄りに設けられており、冷温蔵室４側に開口して該冷温蔵室４の庫内空気を取り入れる空気取入口４０と、冷温蔵室４側に開口して該冷温蔵室４に向けて暖気を送り出す暖気送出口４１と、空気取入口４０から取り入れられた空気を暖気送出口４１に導く加熱用のバイパス路４２と、加熱用のバイパス路４２に設けられて、空気取入口４０を介して加熱用のバイパス路４２内に庫内空気を取り込むための第１の送風機４３と、空気取入口４０から取り入れられた庫内空気を加熱して暖気とするヒータ４４とで構成される。図３において符号４５は、空気取入口４０から吸い込まれた庫内空気の温度（冷温蔵室４の庫内温度）を測定するための庫内温度センサを、符号４６は、ヒータ４４による加熱後の暖気の温度を測定する暖気センサを示す。図８（ａ）（ｂ）において、符号４７は、機械室７内に配されて吸込口１６から吸い込まれた庫内空気の温度（冷蔵室３の庫内温度）を測定するための庫内温度センサを示す。これらセンサ４５・４６・４７はサーミスタである。
【００３３】
加熱用のバイパス路４２は上室３１と下室３０とを跨ぐように構成されている。具体的には、図３に示すように、加熱用のバイパス路４２は、空気取入口４０を有する上室３１側の第１室４２ａと、第１室４２ａに連通して下室３０側に形成された第２室４２ｂと、第２室４２ｂに連通して上室３１側に形成された第３室４２ｃとで構成されている。第２室４２ｂと第３室４２ｃとの間に第１の送風機４３が配置され、第３室４２ｃにヒータ４４が配置されている。以上より、第１の送風機４３により、仕切壁２の右端に設けられた空気取入口４０から上室３１側の第１室４２ａ内に吸い込まれた空気は、下室３０側の第２室４２ｂ内に送られたのち、再び上室３１側の第３室４２ｃに送られて、ヒータ４４により加熱されて暖気とされたのち、上室３１の左端に設けられた暖気送出口４１から冷温蔵室４に吹出されるようになっている。暖気送出口４１は上ダクト１８の下端に連通しており、暖気は上ダクト１８を介して吹出口１９から冷温蔵室４内に吹出される。
【００３４】
加熱用のバイパス路４２は、ダンパ開閉機構２５を避けるように形成されている。具体的には、図７（ａ）（ｂ）に示すように、加熱用のバイパス路４２を構成する第２室４２ｂは、右方側の前後のダンパアーム３４・３４の間に形成されており、ダンパ２４ａ・２４ｂの開閉操作に伴うダンパアーム３４の前後方向の移動軌跡に干渉しないように構成されている。また、第１の送風機４３は、そのファン軸が斜め上方を向く傾斜姿勢で第２室４２ｂと第３室４２ｃとの間に配置されている。
【００３５】
このように、仕切壁２の内部を上室３１と下室３０とに分割して、加熱用のバイパス路４２を上下の室３１・３０に跨るように配置するとともに、第１の送風機４３を傾斜姿勢で配置してあると、仕切壁２内のデッドスペースを少なくして、仕切壁２の小スペース化、および薄肉化を図ることできる。これにより、ショーケース１において仕切壁２が占める割合を小さくして、ショーケース１の冷蔵室３或いは冷温蔵室４の収納スペースを大きく取ることができる。
【００３６】
図１、および図５に示すように、冷蔵室３内の冷気を冷温蔵室４内に強制的に送給するための強制送給構造２７は、仕切壁２の左後方に配置されており、冷蔵室３側に開口して該冷蔵室３の庫内空気（冷気）を取り込む冷気取入口５０と、冷温蔵室４側に開口して冷気を送り出す冷気送出口５１と、冷気取入口５０と冷気送出口５１との間に形成された冷気用のバイパス路５２と、該冷気用のバイパス路５２に設けられた第２の送風機５３とで構成される。冷気取入口５０は、下板２０に開設されており、該冷気取入口５０に臨むように第２の送風機５３が配置され、冷気用のバイパス路５２は、下室３０と上室３１とを跨ぐように構成されている。冷気送出口５１は、上室３１側に設けられて、上ダクト１８の下端に連通しており、冷気送出口５１から上ダクト１８に送られた冷気は、吹出口１９から冷温蔵室４内に吹出される。図１に示すように、暖気送出口４１と冷気送出口５１とは、上室３１の左側面に開設されている。
【００３７】
強制送給構造２７は、ダンパ開閉機構２５を避けるように形成されている。具体的には、図７（ａ）（ｂ）に示すように、冷気用のバイパス路５２は、左後方のダンパアーム３４よりも後方側に配置されており、ダンパ２４ａ・２４ｂの開閉操作に伴うダンパアーム３４の前後方向の移動軌跡に干渉しないようになっている。
【００３８】
次に、以上のような構成からなるショーケース１の使用方法について説明する。まず、冷温蔵室４を冷蔵モードで使用する場合は、冷蔵室３の後側のガラス扉５を開け、図４に仮想線で示すように、仕切壁２から下方に突出するモード選択レバー３６を後方に引く。これにより、図７（ａ）に示すように、ダンパ開閉機構２５を構成する移動体３３が後方に移動し、これに伴いダンパアーム３４を介してダンパ２４ａ・２４ｂが左右方向内側に移動し、開口２２ａ・２２ｂが開かれ、下ダクト１５を流れる冷気は、左側の開口２２ａを介して上ダクト１８に流入し、吹出口１９から冷温蔵室４内へ供給される。このとき、右側の開口２２ｂを介して冷温蔵室４内の庫内空気が冷蔵室３に戻され、これによって、冷気が冷蔵室３と冷温蔵室４とを循環し、冷蔵室３内の商品が冷蔵される。
【００３９】
なお、図８（ａ）に示すように、ダンパ２４ａ・２４ｂが左右方向内側に移動された状態では、下ダクト１５の最上端に位置する冷気吹出口１７（１７ａ）が、左側のダンパ２４ａを構成する下片６３により閉じられるため、より多くの冷気を上ダクト１８を介して冷温蔵室４に向けて送ることができる。また、ダンパ２４ａ・２４ｂが左右方向内側に移動された状態では、上ダクト１８に臨む暖気送出口４１と冷気送出口５１とが、左側のダンパ２４ａを構成する上片６２により閉じられるため、上ダクト１８内に送られた冷気がこれら暖気送出口４１等に流れ込むことはなく、より多くの冷気を冷温蔵室４に送ることができる。
【００４０】
以上のように、冷蔵モードでは、冷蔵室３と冷温蔵室４とは、ともに冷却器９から供給される冷気によって冷却制御される。すなわち、冷蔵モードにおいては、冷蔵室３と冷温蔵室４とは、一つの室のように、同一温度となるように冷却制御される。より具体的には、機械室７内に設置された庫内温度センサ４７により測定された庫内空気温度（検出温度）と、予め設定された設定温度の閾値とを比較し、庫内温度センサ４７による検出温度が閾値内にあるように、冷却器９をオンオフ制御する。なお、図７（ａ）に示すように、冷蔵モードにおいては、スイッチバー３５は、モード切換スイッチ３２から離間して、当該スイッチ３２を切っており、従って、加熱構造２６を構成するヒータ４４等がオンとなることはない。また、図７（ａ）に示すように、後方側に位置するキャッチャー３９により移動体３３が保持されるため、不用意な移動体３３の変位は阻止される。
【００４１】
冷温蔵室４を温蔵モードで使用する場合には、図４において実線で示すように、モード選択レバー３６を前方に押す。これにより、ダンパ開閉機構２５を構成する移動体３３が前方に移動し、これに伴いダンパアーム３４を介してダンパ２４ａ・２４ｂが左右方向外側に移動し、開口２２ａ・２２ｂが閉じられる（図８（ｂ）参照）。以上より、開口２２ａ・２２ｂを介した冷蔵室３から冷温蔵室４への冷気の流通が遮断される。また、モード選択レバー３６の移動に伴い、スイッチバー３５の先端のマグネットがモード切換スイッチ３２に近接してこれをオンとし、加熱構造２６、強制送給構造２７などが稼働状態となる。
【００４２】
図９のフローチャートに、温蔵モードにおけるショーケース１の制御動作を示す。まず、先に述べたようなモード選択レバー３６の操作により、温蔵モードが選択されると（Ｓ１でＹＥＳ）、加熱構造２６を構成する第１の送風機４３を起動し、冷温蔵室４の庫内空気を強制的に循環させる（Ｓ２）。なお、この第１の送風機４３による冷温蔵室４に対する強制循環は、温蔵モードが終了するまで（Ｓ９でＮＯ、Ｓ１４でＮＯ）継続される（Ｓ１５）。
【００４３】
温蔵モードが選択されると（Ｓ１でＹＥＳ）、ショーケース１は庫内温度センサ４５により検出された庫内温度（Ｔ１）と、設定温度（Ｔｃ（例えば１８℃））とを比較し（Ｓ３）、庫内温度（Ｔ１）が設定温度（Ｔｃ）以上である場合には（Ｓ３で≧）、さらに庫内温度センサ４５により検出された庫内温度（Ｔ１）を、設定温度の上限値を規定するための第１閾値（Ｔｃ＋ｄ１）と比較する（Ｓ４）。ここでのｄ１としては、例えば０．５℃であり、第１閾値としては「１８．５℃」を挙げることができる。庫内温度（Ｔ１）が第１閾値（Ｔｃ＋ｄ１）以上である場合には（Ｓ４でＹＥＳ）、庫内温度は高く、冷却制御が必要であると判断して、強制送給構造２７を構成する第２の送風機５３を起動して、冷蔵室３側の冷気を冷温蔵室４内に送り込む（Ｓ５）。一方、庫内温度（Ｔ１）が第１閾値（Ｔｃ＋ｄ１）を下回る場合には（Ｓ４でＮＯ）、庫内温度は高くなく、冷却制御は不要であると判断して、Ｓ３に戻る。
【００４４】
強制送給構造２７による冷気の送給は、冷温蔵室４の庫内温度が所定温度まで下がるまで続けられる。具体的には、庫内温度センサ４５により検出された庫内温度（Ｔ１）が、第２閾値（Ｔｃ−ｄ２）以下となると（Ｓ６でＹＥＳ）、強制送給構造２７の第２の送風機５３の駆動を停止する（Ｓ７）。一方、庫内温度（Ｔ１）が第２閾値（Ｔｃ−ｄ２）を上回る場合には（Ｓ６でＮＯ）、第２の送風機５３の駆動を継続する。ここでのｄ２としては、例えば２℃を挙げることができ、第２閾値としては「１６℃」を挙げることができる。
【００４５】
冷温蔵室４内が過冷却状態に陥った場合には、加熱構造２６による加熱制御を行う。具体的には、庫内温度センサ４５により検出された庫内温度（Ｔ１）が第１の低温閾値（Ｔｃ−Ｐ１）よりも低い状態が５分間続いた場合（第１の加熱条件）、或いは庫内温度（Ｔ１）が、第２の低温閾値（Ｔｃ−Ｐ２）よりも低い状態が２秒間続いた場合（第２の加熱条件）には（Ｓ８でＹＥＳ）、温蔵モードが継続されていることを確認し（Ｓ９）、温蔵モードが継続されている場合には（Ｓ９でＹＥＳ）、ヒータ４４に通電して（Ｓ１０）、ヒータ４４により生成された暖気を冷温蔵室４に送り込む。ここでのＰ１としては、例えば２℃を挙げることができ、第１の低温閾値としては「１６℃」を挙げることができる。また、Ｐ２としては、例えば「５℃」を挙げることができ、第２の低温閾値としては「１３℃」を挙げることができる。すなわち、本実施例では、庫内温度センサ４５により捉えられた庫内温度（Ｔ１）が１６℃以下である状態が５分間継続した場合、或いは庫内温度（Ｔ１）が１３℃以下である状態が２秒間継続した場合には（Ｓ８でＹＥＳ）、ヒータ４４に通電して加熱制御を行う（Ｓ１０）。一方、庫内温度（Ｔ１）が上述の第１の低温閾値に基づく第１の加熱条件、或いは第２の低温閾値に基づく第２の加熱条件を満たさなかった場合には（Ｓ８でＮＯ）、加熱制御は行われず、Ｓ３に戻る。
【００４６】
以上のように、このショーケース１では、庫内温度センサ４５により捉えられた庫内温度（Ｔ１）が設定温度（Ｔｃ）以上である場合（Ｓ３で≧）には、Ｓ４〜Ｓ７に至る強制送給構造２７による冷却制御を行う。尤も、庫内温度センサ４５により捉えられた庫内温度（Ｔ１）が設定温度（Ｔｃ）以上である場合であっても（Ｓ３で≧）、それが第１閾値（Ｔｃ＋ｄ１）を下回る場合には、冷却制御は行われない（Ｓ４でＮＯ）。同様に、庫内温度センサ４５により捉えられた庫内温度（Ｔ１）が設定温度（Ｔｃ）よりも低い場合であっても（Ｓ３で＜）、当該庫内温度（Ｔ１）が第１の低温閾値に基づく第１の加熱条件、或いは第２の低温閾値に基づく第２の加熱条件を満たさなかった場合には（Ｓ８でＮＯ）、加熱制御は行われない。
【００４７】
ヒータ４４に対する通電が始まると（Ｓ１０）、該ヒータ４４の下流側に配された暖気センサ４６により、暖気の温度を測定し（Ｓ１１）、当該センサ４６による検出温度（Ｔ２）が、第３閾値（Ｔｃ＋ｄ３）未満（Ｓ１１でＮＯ）ではヒータ４４に対する通電を継続し、検出温度（Ｔ２）が第３閾値（Ｔｃ＋ｄ３）以上となると（Ｓ１１でＹＥＳ）、ヒータ４４に対する通電を中止する（Ｓ１２）。ここでのｄ３としては、例えば５℃を挙げることができ、第３閾値としては「２３℃」を挙げることができる。
【００４８】
冷温蔵室４内が過昇温状態に陥った場合には、強制送給構造２７による冷却制御を行う。具体的には、庫内温度センサ４５により検出された庫内温度（Ｔ１）が第１の高温閾値（Ｔｃ＋Ｐ３）よりも高い状態が５分間続いた場合（第１の冷却条件）、或いは庫内温度（Ｔ１）が、第２の高温閾値（Ｔｃ＋Ｐ４）よりも高い状態が２秒間続いた場合（第２の冷却条件）には（Ｓ１３でＹＥＳ）、温蔵モードが継続されていることを確認し（Ｓ１４）、温蔵モードが継続されている場合には（Ｓ１４でＹＥＳ）、Ｓ３に戻る。ここでのＰ３としては、例えば２℃を挙げることができ、第１の高温閾値としては「２０℃」を挙げることができる。また、Ｐ４としては、例えば５℃を挙げることができ、第２の高温閾値としては「２３℃」を挙げることができる。すなわち、本実施例では、庫内温度センサ４５により捉えられた庫内温度（Ｔ１）が２０℃以上である状態が５分間継続した場合、或いは庫内温度（Ｔ１）が２３℃以上である状態が２秒間継続した場合には（Ｓ１３でＹＥＳ）、Ｓ３に戻って、強制送給構造２７の第２の送風機５３を起動させて冷気を冷温蔵室４に送り込む。一方、庫内温度（Ｔ１）が上述の第１の高温閾値に基づく第１の冷却条件、或いは第２の高温閾値に基づく第２の冷却条件を満たさなかった場合には（Ｓ１３でＮＯ）、冷却制御は行われず、Ｓ１０に戻る。温蔵モードが終了している場合には（Ｓ１４でＮＯ）、第１の送風機４３を停止して、冷却モードに戻る。
【００４９】
以上のように本実施例に係るショーケースでは、冷蔵室３と冷温蔵室４とを仕切る仕切壁２に、冷温蔵室４に向けて暖気を送るための加熱構造２６と、冷蔵室３内の冷気を冷温蔵室４に向けて強制的に送給するための強制送給構造２７とを設けて、温蔵モードが選択されると、加熱構造２６により冷温蔵室４に暖気が送給され、或いは強制送給構造２７により冷温蔵室４に冷気が送給されるようにしたので、温蔵モードが選択された状態で冷温蔵室４の庫内温度が所定の設定温度よりも低い場合には、加熱構造２６により暖気を冷温蔵室４内に送給することで冷温蔵室４内を加熱制御できることは勿論のこと、冷温蔵室４内の庫内温度が所定の設定温度よりも高い場合には、強制送給構造２７により冷蔵室３内の冷気を送給することで冷温蔵室４内を冷却制御することができる。
【００５０】
このように、本実施例に係るショーケースでは、温蔵モードにおける冷却制御に、冷蔵室３内の冷気を利用して冷温蔵室４内を冷却する構造を採ったため、冷蔵室３と冷温蔵室４のそれぞれに冷却器を設置する構成に比べて、冷温蔵室４の冷却構造が格段に簡素に済み、製造コストを抑えて、温蔵モードにおける冷却能力を備えたショーケースをより安価に提供できる。また、このような構成からなるショーケース１は、特に冷温蔵室４の室内温度が１５〜２０℃の範囲に設定される弁当用のショーケース１として好適であり、例えば冬季においてエアコンで暖められた外部空気が冷温蔵室４内に侵入して、冷温蔵室４内の温度が上昇した場合であっても、強制送給構造２７により、冷温蔵室４内に冷気を送り込んで冷却し、庫内および収納物を最適温度に保つことができる。
【００５１】
また、仕切壁２に、モード選択レバー３６、ダンパ２４、開閉機構２５のみならず、加熱構造２６と強制送給構造２７とを設けて、モードの切換構造の全てを仕切壁２に集約配置したので、冷蔵室３、或いは冷温蔵室４のそれぞれに切換構造を設ける場合に比べて、冷蔵室３および冷温蔵室４の収容スペースのロスを小さくして、より大きな収容スペースを確保できる。
【００５２】
温蔵モードが選択されると、加熱構造２６を構成する第１の送風機４３が常態的にオン制御され、該送風機４３による送風により冷温蔵室４の庫内空気が循環されるような構成したので、冷温蔵室４内を強制対流方式で冷却或いは加熱して、より効率的に冷温蔵室４内を冷却等することができる。
【００５３】
仕切壁２内を下室３０と上室３１とに区分し、加熱用のバイパス路４２を上下室３１・３０を跨ぐように配置し、第１の送風機４３をファン軸が斜め上方に向く傾斜姿勢でバイパス路４２の中途部に設置したので、第１の送風機４３を、そのファン軸が鉛直方向に向く水平姿勢とする場合に比べて、該第１の送風機４３の上下寸法を小さくして、加熱用のバイパス路４２の上下方向の厚み寸法を小さくできる。このことは、仕切壁２の上下方向の厚み寸法を小さくすることができることを意味し、結果として、冷蔵室３および冷温蔵室４の収容スペースのロスを小さくして、収容スペースの大容量化に貢献できる。
【００５４】
冷蔵室３の側面と冷温蔵室４の側面に、両室３・４に向けて冷気を送り込むためのダクト１５・１８を設けて、仕切壁２の上室３１の側面にダクト１８に臨むように暖気送出口４１と冷気送出口５１とを設けたので、冷気用のダクト１８を使って暖気を冷温蔵室４内に送り込むことができる。これにより、別途に暖気用のダクトを設ける場合に比べて、加熱構造２６を簡素化して、ショーケース１の製造コストを削減することができる。また、仕切壁２の上面には冷気送出口５１や暖気送出口４１等の開口部が存在しないため、開口部を収納物で塞ぐことに起因する動作不良の問題が生じ難く、ショーケース１の信頼性向上にも貢献できる。仕切壁２上に収納物を載置することが可能となるため、収納スペースの大容量化にも貢献できる。
【００５５】
本発明における高温閾値や低温閾値などの閾値温度は、上記の実施例に記載したものに限られない。尤も、本発明における閾値温度は、収容対象物の種別に応じて、使用者が適宜に変更できるように構成されていることが好ましい。ヒータ４４等の構成は、上記実施例に示したものに限定されない。
【符号の説明】
【００５６】
１  ショーケース
２  仕切壁
３  冷蔵室
４  冷温蔵室
２２  開口
２４  ダンパ
２５  開閉機構（ダンパ開閉機構）
２６  加熱構造
２７  強制送給構造
３６  モード選択レバー
４２  加熱用のバイパス路
４３  第１の送風機
４４  ヒータ
４５  庫内温度センサ
５２  冷却用のバイパス路
５３  第２の送風機
【図１】
2017189463.tif 000003
【図２】
2017189463.tif 000004
【図３】
2017189463.tif 000005
【図４】
2017189463.tif 000006
【図５】
2017189463.tif 000007
【図６】
2017189463.tif 000008
【図７】
2017189463.tif 000009
【図８】
2017189463.tif 000010
【図９】
2017189463.tif 000011